(57)【要約】      （修正有）【課題】ハウジング又は円盤状弁体の略全体に亘って加熱又は冷却することができるバタフライ開閉弁を提供するものである。【解決手段】バタフライ開閉弁Ｖは、ハウジング１内部に設けられた流通路を開閉する円盤状弁体を有するバタフライ開閉弁Ｖであって、ハウジング１の冷却又は加温のために、ハウジング１内の略全体に亘って又はハウジング１表面の略全体に亘って冷却媒体又は加温媒体を流す熱媒体通路３を設けたものである。【選択図】図３
2016114223.tif 000002
【特許請求の範囲】
【請求項１】
ハウジング内に設けられた流通路を開閉する円盤状弁体を有するバタフライ開閉弁であって、
前記ハウジングの冷却又は加温のために、前記ハウジング内部の略全体に亘って又は前記ハウジング表面の略全体に亘って冷却媒体又は加温媒体を流す熱媒体通路を設けた
ことを特徴とするバタフライ開閉弁。
【請求項２】
ハウジング内に設けられた流通路を開閉する円盤状弁体を有するバタフライ開閉弁であって、
前記ハウジングの両端面の内の一方の端面であって、前記ハウジングの外周より内周に近い側であって、前記内周に沿って設けられた溝である一方の環状溝と、
前記ハウジングの外周から前記一方の環状溝に導く溝である第１の一方導入溝と、
前記一方の環状溝から前記ハウジングの外周へ導く溝である第２の一方導入溝と、
前記ハウジングの両端面の内の他方の端面であって、前記ハウジングの外周より内周に近い側であって、前記内周に沿って設けられた溝である他方の環状溝と、
前記ハウジングの外周から前記他方の環状溝に導く溝である第１の他方導入溝と、
前記他方の環状溝から前記ハウジングの外周へ導く溝である第２の他方導入溝とを備え、
熱媒体通路は前記第１の一方導入溝、前記一方の環状溝、前記第２の一方導入溝、前記第１の他方の導入溝、前記他方の環状溝、前記第２の他方導入溝に設けられ、
前記ハウジングの冷却又は加温のために、前記熱媒体通路に冷却媒体又は加温媒体を流す
ことを特徴とするバタフライ開閉弁。
【請求項３】
第１の一方導入溝、一方の環状溝、第２の一方導入溝に設けられた熱媒体通路は、ハウジングの一方の端面から突出しないように位置し、
第１の他方導入溝、他方の環状溝、第２の他方導入溝に設けられた熱媒体通路は、前記ハウジングの他方の端面から突出しないように位置し
ていることを特徴とする請求項２記載のバタフライ開閉弁。
【請求項４】
ハウジング内に設けられた流通路を開閉する円盤状弁体を有するバタフライ開閉弁であって、
前記円盤状弁体の冷却又は加温のために、前記円盤状弁体内部に冷却媒体又は加温媒体を流す熱媒体通路を設けた
ことを特徴とするバタフライ開閉弁。
【請求項５】
ハウジング内に設けられた流通路を開閉する円盤状弁体を有するバタフライ開閉弁であって、
前記円盤状弁体の外周に設けたシール部材と、
前記円盤状弁体内部に設けられた流体を流す熱媒体通路とを備え、
前記流通路を前記円盤状弁体で遮断すると共に、前記シール部材が前記流通路の内壁面に当接して前記円盤状弁体が前記流通路を閉じ、
前記熱媒体通路に冷却媒体を流して前記円盤状弁体を冷却する
ことを特徴とするバタフライ開閉弁。
【請求項６】
ハウジング内に設けられた流通路を開閉する円盤状弁体を有するバタフライ開閉弁であって、
前記円盤状弁体の内部に設けられた空所と、前記弁棒の一方の軸を貫通し、前記空所に連通する第１の通路と、前記弁棒の他方の軸を貫通し、前記空所に連通する第２の通路とを有し、
前記円盤状弁体は、前記円盤状弁体に取り付けられた弁棒を軸に回動するものであり、
熱媒体通路は前記第１の通路、前記空所、前記第２の通路に設けられ、
前記空所内の前記熱媒体通路は蛇行して配設され、
前記円盤状弁体の冷却又は加温のために、前記熱媒体通路に冷却媒体又は加温媒体を流す
ことを特徴とするバタフライ開閉弁。
【発明の詳細な説明】
【技術分野】
【０００１】
本発明は、バタフライ開閉弁に係り、特に、ハウジング又は円盤状弁体の略全体に亘って加熱又は冷却することができるバタフライ開閉弁に関する。
【背景技術】
【０００２】
従来、流通路を開閉する円盤状弁体を有するバタフライ開閉弁が知られている（特許文献１参照）。
このバタフライ開閉弁においては、下部軸受部の外周に加熱管を設け、バタフライ開閉弁の下部軸受部の近傍を加熱している。
【先行技術文献】
【特許文献】
【０００３】
【特許文献１】実開昭６２−１１２３８１号公報
【発明の概要】
【発明が解決しようとする課題】
【０００４】
ところが、上記バタフライ開閉弁にあっては、加熱管による熱がバタフライ開閉弁の下部軸受部の近傍のみで加熱箇所が局所であるため、例えば、バタフライ開閉弁のハウジングの内壁面を加熱することにより、流通路の内壁面に異物が付着するのを防ぐことができるものに適用できないという問題点が生じた。
【０００５】
本発明は、上記の問題点を考慮してなされたバタフライ開閉弁を提供することを目的とする。
【課題を解決するための手段】
【０００６】
請求項１記載のバタフライ開閉弁は、ハウジング内に設けられた流通路を開閉する円盤状弁体を有するバタフライ開閉弁であって、前記ハウジングの冷却又は加温のために、前記ハウジング内部の略全体に亘って又は前記ハウジング表面の略全体に亘って前記冷却媒体又は前記加温媒体を流す熱媒体通路を設けたものである。
【０００７】
また、請求項２記載のバタフライ開閉弁は、ハウジング内に設けられた流通路を開閉する円盤状弁体を有するバタフライ開閉弁であって、前記ハウジングの両端面の内の一方の端面であって、前記ハウジングの外周より内周に近い側であって、前記内周に沿って設けられた溝である一方の環状溝と、前記ハウジングの外周から前記一方の環状溝に導く溝である第１の一方導入溝と、前記一方の環状溝から前記ハウジングの外周へ導く溝である第２の一方導入溝と、前記ハウジングの両端面の内の他方の端面であって、前記ハウジングの外周より内周に近い側であって、前記内周に沿って設けられた溝である他方の環状溝と、前記ハウジングの外周から前記他方の環状溝に導く溝である第１の他方導入溝と、前記他方の環状溝から前記ハウジングの外周へ導く溝である第２の他方導入溝とを備え、熱媒体通路は前記第１の一方導入溝、前記一方の環状溝、前記第２の一方導入溝、前記第１の他方の導入溝、前記他方の環状溝、前記第２の他方導入溝に設けられ、前記ハウジングの冷却又は加温のために、前記熱媒体通路に冷却媒体又は加温媒体を流すものである。
【０００８】
また、請求項３記載のバタフライ開閉弁は、請求項２記載のバタフライ開閉弁において、第１の一方導入溝、一方の環状溝、第２の一方導入溝に設けられた熱媒体通路は、ハウジングの一方の端面から突出しないように位置し、第１の他方導入溝、他方の環状溝、第２の他方導入溝に設けられた熱媒体通路は、前記ハウジングの他方の端面から突出しないように位置しているものである。
【０００９】
また、請求項４記載のバタフライ開閉弁は、ハウジング内に設けられた流通路を開閉する円盤状弁体を有するバタフライ開閉弁であって、前記円盤状弁体の冷却又は加温のために、前記円盤状弁体内部に冷却媒体又は加温媒体を流す熱媒体通路を設けたものである。
【００１０】
また、請求項５記載のバタフライ開閉弁は、ハウジング内に設けられた流通路を開閉する円盤状弁体を有するバタフライ開閉弁であって、前記円盤状弁体の外周に設けたシール部材と、前記円盤状弁体内部に設けられた流体を流す熱媒体通路とを備え、前記流通路を前記円盤状弁体で遮断すると共に、前記シール部材が前記流通路の内壁面に当接して前記円盤状弁体が前記流通路を閉じ、前記熱媒体通路に冷却媒体を流して前記円盤状弁体を冷却するものである。
【００１１】
また、請求項６記載のバタフライ開閉弁は、ハウジング内に設けられた流通路を開閉する円盤状弁体を有するバタフライ開閉弁であって、前記円盤状弁体の内部に設けられた空所と、前記弁棒の一方の軸を貫通し、前記空所に連通する第１の通路と、前記弁棒の他方の軸を貫通し、前記空所に連通する第２の通路とを有し、前記円盤状弁体は、前記円盤状弁体に取り付けられた弁棒を軸に回動するものであり、熱媒体通路は前記第１の通路、前記空所、前記第２の通路に設けられ、前記空所内の前記熱媒体通路は蛇行して配設され、前記円盤状弁体の冷却又は加温のために、前記熱媒体通路に冷却媒体又は加温媒体を流すものである。
【発明の効果】
【００１２】
請求項１記載のバタフライ開閉弁によれば、ハウジング内部の略全体に亘って又は前記ハウジング表面の略全体に亘って冷却媒体又は加温媒体を流す熱媒体通路を設け、該熱媒体通路に前記冷却媒体又は前記加温媒体を流して、ハウジングの略全体に亘って冷却又は加温することができる。
【００１３】
また、請求項２載のバタフライ開閉弁によれば、熱媒体通路を第１の一方導入溝、一方の環状溝、第２の一方導入溝、第１の他方の導入溝、他方の環状溝、第２の他方導入溝に設け、熱媒体通路に低温又は高温の熱媒体を流して、ハウジングの一方の面のみならず、他方の面、つまり、ハウジングの両端面を簡易な手段により冷却又は加温することができ、しかも、一方の環状溝及び他方の環状溝は、ハウジングの外周より内周に近い側に位置しているため、ハウジングの内壁面又は円盤状弁体に効率良く熱を伝えることができる。
例えば、ハウジングの内壁面を加熱することにより、ハウジング内に設けられた流通路の内壁面に異物が付着するのを防ぐことができる。また、円盤状弁体を冷却することにより、円盤状弁体の外周に取り付けたシール部材の劣化を防ぐことができる。
【００１４】
また、請求項３載のバタフライ開閉弁によれば、上述した請求項２記載の発明の効果に加え、第１の一方導入溝、一方の環状溝、第２の一方導入溝に設けられた熱媒体通路は、ハウジングの一方の端面から突出しないように位置し、
第１の他方導入溝、他方の環状溝、第２の他方導入溝に設けられた熱媒体通路は、ハウジングの他方の端面から突出しないように位置しているため、バタフライ開閉弁を流体通路に接続する際、熱媒体通路が支障とならず、流体通路にバタフライ開閉弁を設置することができる。
【００１５】
また、請求項４記載のバタフライ開閉弁によれば、円盤状弁体の冷却又は加温のために、前記円盤状弁体内部に冷却媒体又は加温媒体を流す熱媒体通路を設けたため、円盤状弁体又は前記円盤状弁体の近傍のハウジング内壁面を冷却又は加温することができる。
【００１６】
また、請求項５載のバタフライ開閉弁によれば、円盤状弁体内部に設けられた熱媒体通路に冷却媒体を流して円盤状弁体を介してシール部材を冷却して、シール部材の劣化を防ぐことができる。
【００１７】
また、請求項６記載のバタフライ開閉弁によれば、円盤状弁体の冷却又は加温のために、前記円盤状弁体内に冷却媒体又は加温媒体を流す熱媒体通路を設けたため、円盤状弁体又は前記円盤状弁体近傍のハウジング内壁面を冷却又は加温することができ、しかも、熱媒体通路は第１の通路、空所、第２の通路に設けられ、前記空所内の前記熱媒体通路は蛇行して配設されているため、冷却効果又は加温効果を高めることができる。
【図面の簡単な説明】
【００１８】
【図１】図１は、本発明の一実施例のバタフライ開閉弁を通路の途中に取り付けた状態の概略的図である。
【図２】図２は、図１のバタフライ開閉弁が開いた状態の概略的図である。
【図３】図３は、図２の円盤状弁体を閉じる方向に移動させた状態の概略的斜視図である。
【図４】図４は、図３の円盤状弁体を閉じた状態の概略的図である。
【図５】図５は、図１の概略的断面図である。
【図６】図６は、図５のＡ−Ａ線による概略的断面図である。
【図７】図７は、図５のＢ−Ｂ線による概略的断面図である。
【図８】図８は、図５のＣ近傍を拡大して示す概略的一部拡大断面図である。
【発明を実施するための形態】
【００１９】
本発明の一実施例のバタフライ開閉弁を図面（図１乃至図８）を参照して説明する。
図１乃至図４に示すＶは流通路Ｐを開閉するバタフライ開閉弁で、バタフライ開閉弁Ｖは、第１の通路Ｐ１と第２の通路Ｐ２の途中に設けられ、ハウジング１と、このハウジング１内に設けられた流通路Ｐ（図２参照）を開閉する円盤状弁体２を有する。
【００２０】
また、図３に示す３は熱媒体通路で、熱媒体通路３は、例えば、パイプ、より詳しくは、銅パイプで形成されている。
熱媒体通路３は、図３に示すように、ハウジング１の表面の略全体に亘って設けられ、熱媒体通路３に冷却媒体（例えば、冷却水）又は加温媒体（例えば、蒸気）を流して、ハウジング１の略全体に亘って冷却又は加温することができる。
【００２１】
熱媒体通路３の設置について、以下詳述する。
即ち、図２及び図３に示す１１は一方の環状溝で、一方の環状溝１１は、ハウジング１の両端面の内の一方の端面１Ｃであって、ハウジング１の外周１Ａより内周１Ｂに近い側であって、内周１Ｂに沿って設けられている溝である。
また、図３に示す１２は第１の一方導入溝で、第１の一方導入溝１２は、ハウジング１の外周１Ａから一方の環状溝１１に導く溝である。
また、図３に示す１３は第２の一方導入溝で、第２の一方導入溝１３は、一方の環状溝１１からハウジング１の外周１Ａへ導く溝である。
【００２２】
また、図３に示す１５は他方の環状溝で、他方の環状溝１５は、ハウジング１の両端面の内の他方の端面１Ｄであって、ハウジング１の外周１Ａより内周１Ｂに近い側であって、内周１Ｂに沿って設けられている溝である。
また、図３に示す１６は第１の他方導入溝で、第１の他方導入溝１６は、ハウジング１の外周１Ａから他方の環状溝１５に導く溝である。
また、図３に示す１７は第２の他方導入溝で、第２の他方導入溝１７は、他方の環状溝１５からハウジング１の外周１Ａへ導く溝である。
【００２３】
そして、熱媒体通路３は第１の一方導入溝１２、一方の環状溝１１、第２の一方導入溝１３、第１の他方の導入溝１６、他方の環状溝１５、第２の他方導入溝１７に設けられ、ハウジング１の冷却又は加温のために、熱媒体通路３に冷却媒体又は加温媒体を流すようにして、ハウジング１の内壁面又は円盤状弁体２に効率良く熱を伝えることができるようになっている。
例えば、ハウジング１の内壁面を加熱することにより、ハウジング１内に設けられた流通路の内壁面に異物が付着するのを防ぐことができる。また、円盤状弁体２を冷却することにより、円盤状弁体２の外周に取り付けたシール部材４の劣化を防ぐことができるようにしている。
また、第１の一方導入溝１２、一方の環状溝１１、第２の一方導入溝１３に設けられた熱媒体通路３は、ハウジング１の一方の端面１Ｃから突出しないように位置し、第１の他方導入溝１６、他方の環状溝１５、第２の他方導入溝１７に設けられた熱媒体通路３は、ハウジング１の他方の端面１Ｄから突出しないように位置している。
その結果、バタフライ開閉弁Ｖを流体通路に接続する際、熱媒体通路３が支障とならず、流体通路にバタフライ開閉弁Ｖを設置することができる。
なお、熱媒体通路３は、溝内に図示しない接着剤を介して固定されている
。
【００２４】
また、上述した熱媒体通路３は、ハウジング１の表面の略全体に亘って設けたが、本願発明にあっては、これに限らず、図示しないが、熱媒体通路３をハウジング１内部の略全体に亘って設けるようにしても、同様な効果を有する。
【００２５】
また、上述した熱媒体通路３は、ハウジング１に亘って設けたが、本願発明にあっては、これに限らず、円盤状弁体２に設けても良い。
即ち、円盤状弁体２の冷却又は加温のために、円盤状弁体２内部に冷却媒体又は加温媒体を流す熱媒体通路３’を設けている。
その結果、円盤状弁体２又は円盤状弁体１の近傍のハウジング２内壁面を冷却又は加温することができる。
なお、特に、円盤状弁体２の外周に設けたシール部材４と、円盤状弁体２内に設けられた流体を流す熱媒体通路３’とを備え、ハウジング１内に設けられた流通路を円盤状弁体２で遮断すると共に、シール部材４が前記流通路の内壁面に当接して円盤状弁体２が前記流通路を閉じ、熱媒体通路３’に冷却媒体を流して円盤状弁体２を冷却するものにあっては、円盤状弁体２を介してシール部材４を冷却して、シール部材４の劣化を防ぐことができる。
【００２６】
また、図７に示すように、６は弁棒（６、７）の一方の軸で、７は弁棒（６、７）の他方の軸である。
２１は円盤状弁体２の内部に設けられた空所である。一方の軸６には、一方の軸６を貫通し、空所２１に連通する第１の通路６１が、他方の軸７には、他方の軸７を貫通し、空所２１に連通する第２の通路７１が、それぞれ形成されている。
上述の実施例と同様、円盤状弁体２の冷却又は加温のために、円盤状弁体２内に冷却媒体又は加温媒体を流す熱媒体通路３’を設けたため、円盤状弁体２又は円盤状弁体２の近傍のハウジング１の内壁面を冷却又は加温することができ、しかも、熱媒体通路３’は第１の通路６１、空所２１、第２の通路７１に設けられ、空所２１内の熱媒体通路３’は蛇行して配設されているため、冷却効果又は加温効果を高めることができる。
なお、円盤状弁体２は、円盤状弁体２に取り付けられた弁棒６、７を軸に回動するもので、例えば、図４に示すように、エアシリンダーで動くラック８に弁棒７に取り付けられた平歯車９を噛み合わせて行っている。
また、バタフライ開閉弁Ｖより外側に位置する熱媒体通路３’は、例えば図示しない回転自在継ぎ手を介して熱媒体供給通路（図示せず）、熱媒体排出通路（図示せず）に接続されている。
【符号の説明】
【００２７】
Ｖ      バタフライ開閉弁
１      ハウジング
２      円盤状弁体
３      熱媒体通路
【図１】
2016114223.tif 000003
【図２】
2016114223.tif 000004
【図３】
2016114223.tif 000005
【図４】
2016114223.tif 000006
【図５】
2016114223.tif 000007
【図６】
2016114223.tif 000008
【図７】
2016114223.tif 000009
【図８】
2016114223.tif 000010